【手続補正書】
【提出日】平成25年9月4日(2013.9.4)
【手続補正１】
【補正対象書類名】特許請求の範囲
【補正対象項目名】全文
【補正方法】変更
【補正の内容】
【特許請求の範囲】
【請求項１】
遊技媒体を使用して遊技を行う遊技台と、
各遊技台に対応づけて設けられ、遊技者が所持する携帯端末から携帯端末固有の識別情報を読み取る読取手段を備えた各台対応装置と、
複数の遊技台に関する遊技情報を管理する管理装置と、
を備えた遊技履歴管理システムであって、
前記読取手段にて読み取られた前記識別情報を記憶する識別情報記憶手段と、
前記読取手段にて前記識別情報が読み取られたことを条件として、前記遊技者の遊技期間の開始を特定する第１の特定手段と、
前記読取手段にて前記識別情報が読み取られ、読み取られた識別情報が前記識別情報記憶手段に記憶された識別情報に対応するものであることを条件として、前記遊技者の遊技期間の終了を特定する第２の特定手段と、
前記第１の特定手段および前記第２の特定手段により開始と終了が特定された遊技期間について、前記管理装置に管理されている遊技情報を、遊技者の遊技履歴として抽出する遊技履歴抽出手段と、
を備えたことを特徴とする遊技履歴管理システム。
【請求項２】
前記各台対応装置と前記遊技台の対応付けを特定可能な対応付情報を記憶する対応付情報記憶手段と、
前記遊技履歴抽出手段によって抽出された遊技履歴を記憶する遊技履歴記憶手段と、
前記遊技履歴抽出手段によって抽出された遊技履歴を所定の形式で出力する遊技履歴出力手段と、
を更に備え、
前記遊技履歴抽出手段は、前記対応付情報によって特定された遊技台についての遊技情報を抽出するものであることを特徴とする請求項１記載の遊技履歴管理システム。
【請求項３】
前記遊技履歴記憶手段は、前記識別情報に対応付けて遊技履歴を管理する機能を更に備え、
前記遊技履歴抽出手段により同一の識別情報に対応付けられた遊技履歴が抽出された場合には、前記遊技履歴記憶手段に記憶された遊技履歴と、前記遊技履歴抽出手段により抽出された遊技履歴とを統合する履歴統合手段を備えたことを特徴とする請求項２に記載の遊技履歴管理システム。
【請求項４】
前記各台対応装置が所定の条件下で前記読取手段により前記識別情報を読み取った場合に、対応する遊技台の機種に関する情報を前記携帯端末に対して提供する機種情報提供手段を更に備えたことを特徴とする請求項１〜３のいずれかに記載の遊技履歴管理システム。
【請求項５】
遊技媒体を使用して遊技を行う遊技台と、
各遊技台に対応づけて設けられ、遊技者が所持する携帯端末から携帯端末固有の識別情報を読み取る読取手段を備えた各台対応装置と、
複数の遊技台に関する遊技情報を管理する管理装置と、
を備えた遊技店に適用され、
前記読取手段にて読み取られた前記識別情報を記憶する識別情報記憶ステップと、
前記読取手段にて前記識別情報が読み取られたことを条件として、前記遊技者の遊技期間の開始を特定する第１の特定ステップと、
前記読取手段にて前記識別情報が読み取られ、読み取られた識別情報が前記識別情報記憶ステップで記憶された識別情報に対応するものであることを条件として、前記遊技者の遊技期間の終了を特定する第２の特定ステップと、
前記第１の特定ステップおよび前記第２の特定ステップにより開始と終了が特定された遊技期間について、前記管理装置に管理されている遊技情報を、遊技者の遊技履歴として抽出する遊技履歴抽出ステップと、
を含む、遊技履歴管理方法。
【請求項６】
遊技媒体を使用して遊技を行う遊技台と、
各遊技台に対応づけて設けられ、遊技者が所持する携帯端末から携帯端末固有の識別情報を読み取る読取手段を備えた各台対応装置とを備えた遊技店に設置され、複数の遊技台に関する遊技情報を管理する遊技履歴管理装置であって、
前記読取手段にて読み取られた前記識別情報を記憶する識別情報記憶手段と、
前記読取手段にて前記識別情報が読み取られたことを条件として、前記遊技者の遊技期間の開始を特定する第１の特定手段と、
前記読取手段にて前記識別情報が読み取られ、読み取られた識別情報が前記識別情報記憶手段に記憶された識別情報に対応するものであることを条件として、前記遊技者の遊技期間の終了を特定する第２の特定手段と、
前記第１の特定手段および前記第２の特定手段により開始と終了が特定された遊技期間について、前記管理装置に管理されている遊技情報を、遊技者の遊技履歴として抽出する遊技履歴抽出手段と、
を備えたことを特徴とする遊技履歴管理装置。
【手続補正２】
【補正対象書類名】明細書
【補正対象項目名】発明の名称
【補正方法】変更
【補正の内容】
【発明の名称】遊技履歴管理システム、遊技履歴管理方法および遊技履歴管理装置
【手続補正３】
【補正対象書類名】明細書
【補正対象項目名】０００１
【補正方法】変更
【補正の内容】
【０００１】
本発明は、遊技履歴管理システム、遊技履歴管理方法および遊技履歴管理装置に関する。
【手続補正４】
【補正対象書類名】明細書
【補正対象項目名】０００６
【補正方法】変更
【補正の内容】
【０００６】
本発明の目的は、遊技店での遊技による収支のデータを正確に管理することができ、その管理を希望する遊技者にとって利便性が良い、遊技履歴管理システム、遊技履歴管理方法および遊技履歴管理装置を提供することである。
【手続補正５】
【補正対象書類名】明細書
【補正対象項目名】０００７
【補正方法】変更
【補正の内容】
【０００７】
前記の発明を達成するため、本発明に係る遊技履歴管理システムは、遊技媒体を使用して遊技を行う遊技台と、各遊技台に対応づけて設けられ、遊技者が所持する携帯端末から携帯端末固有の識別情報を読み取る読取手段を備えた各台対応装置と、複数の遊技台に関する遊技情報を管理する管理装置と、を備えた遊技履歴管理システムであって、前記読取手段にて読み取られた前記識別情報を記憶する識別情報記憶手段と、前記読取手段にて前記識別情報が読み取られたことを条件として、前記遊技者の遊技期間の開始を特定する第１の特定手段と、前記読取手段にて前記識別情報が読み取られ、読み取られた識別情報が前記識別情報記憶手段に記憶された識別情報に対応するものであることを条件として、前記遊技者の遊技期間の終了を特定する第２の特定手段と、前記第１の特定手段および前記第２の特定手段により開始と終了が特定された遊技期間について、前記管理装置に管理されている遊技情報を、遊技者の遊技履歴として抽出する遊技履歴抽出手段と、を備えたことを特徴とする。
また、遊技履歴管理システムは、前記各台対応装置と前記遊技台の対応付けを特定可能な対応付情報を記憶する対応付情報記憶手段と、前記遊技履歴抽出手段によって抽出された遊技履歴を記憶する遊技履歴記憶手段と、前記遊技履歴抽出手段によって抽出された遊技履歴を所定の形式で出力する遊技履歴出力手段と、を更に備え、前記遊技履歴抽出手段は、前記対応付情報によって特定された遊技台についての遊技情報を抽出するものであることを特徴とする。
また、前記遊技履歴記憶手段は、前記識別情報に対応付けて遊技履歴を管理する機能を更に備え、遊技履歴管理システムは、前記遊技履歴抽出手段により同一の識別情報に対応付けられた遊技履歴が抽出された場合には、前記遊技履歴記憶手段に記憶された遊技履歴と、前記遊技履歴抽出手段により抽出された遊技履歴とを統合する履歴統合手段を備えたことを特徴とする。
また、遊技履歴管理システムは、前記各台対応装置が所定の条件下で前記読取手段により前記識別情報を読み取った場合に、対応する遊技台の機種に関する情報を前記携帯端末に対して提供する機種情報提供手段を更に備えたことを特徴とする。
【手続補正６】
【補正対象書類名】明細書
【補正対象項目名】０００８
【補正方法】変更
【補正の内容】
【０００８】
また、本発明に係る遊技履歴管理方法は、遊技媒体を使用して遊技を行う遊技台と、各遊技台に対応づけて設けられ、遊技者が所持する携帯端末から携帯端末固有の識別情報を読み取る読取手段を備えた各台対応装置と、複数の遊技台に関する遊技情報を管理する管理装置と、を備えた遊技店に適用され、前記読取手段にて読み取られた前記識別情報を記憶する識別情報記憶ステップと、前記読取手段にて前記識別情報が読み取られたことを条件として、前記遊技者の遊技期間の開始を特定する第１の特定ステップと、前記読取手段にて前記識別情報が読み取られ、読み取られた識別情報が前記識別情報記憶ステップで記憶された識別情報に対応するものであることを条件として、前記遊技者の遊技期間の終了を特定する第２の特定ステップと、前記第１の特定ステップおよび前記第２の特定ステップにより開始と終了が特定された遊技期間について、前記管理装置に管理されている遊技情報を、遊技者の遊技履歴として抽出する遊技履歴抽出ステップと、を含む。
【手続補正７】
【補正対象書類名】明細書
【補正対象項目名】０００９
【補正方法】変更
【補正の内容】
【０００９】
また、本発明に係る遊技履歴管理装置は、遊技媒体を使用して遊技を行う遊技台と、各遊技台に対応づけて設けられ、遊技者が所持する携帯端末から携帯端末固有の識別情報を読み取る読取手段を備えた各台対応装置とを備えた遊技店に設置され、複数の遊技台に関する遊技情報を管理する遊技履歴管理装置であって、前記読取手段にて読み取られた前記識別情報を記憶する識別情報記憶手段と、前記読取手段にて前記識別情報が読み取られたことを条件として、前記遊技者の遊技期間の開始を特定する第１の特定手段と、前記読取手段にて前記識別情報が読み取られ、読み取られた識別情報が前記識別情報記憶手段に記憶された識別情報に対応するものであることを条件として、前記遊技者の遊技期間の終了を特定する第２の特定手段と、前記第１の特定手段および前記第２の特定手段により開始と終了が特定された遊技期間について、前記管理装置に管理されている遊技情報を、遊技者の遊技履歴として抽出する遊技履歴抽出手段と、を備えたことを特徴とする。
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】変更
【補正の内容】
【００１３】
以上により、遊技者にとって遊技履歴データの管理の利便性に優れていながら、遊技履歴データを正確に管理することができる。
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】